(57)【要約】【課題】ＳＩＭカードのＰＩＮコードの設定をしていなかった場合や、ＰＩＮコードが第三者に知られていたような場合においても、セキュリティの高い認証を行う。【解決手段】メモリカード３０固有のメモリカード識別情報を記憶部１５に登録しておき、ＳＩＭカード２０の装着時にＰＩＮコードが設定されているかを確認し、ＰＩＮコードが設定されていた場合にＰＩＮコードの入力を要求し、ユーザから入力されたＰＩＮコードとＳＩＭカード２０に設定されたＰＩＮコードが一致するかを照合し、ＰＩＮコードが一致した場合にメモリカード３０からメモリカード識別情報を読み出し、読み出したメモリカード識別情報と記憶部１５に登録されたメモリカード識別情報が一致するかを照合し、メモリカード識別情報が一致した場合に認証された旨を表示する。【選択図】      図１
2008293251.tif 000002
【特許請求の範囲】
【請求項１】
ＳＩＭカードおよびメモリカードが装着される携帯端末であって、
前記メモリカード固有のメモリカード識別情報が登録された記憶部と、前記ＳＩＭカード装着時にＰＩＮコードが設定されているかを確認する手段と、ＰＩＮコードが設定されていた場合にＰＩＮコードの入力を要求する手段と、ユーザから入力されたＰＩＮコードと前記ＳＩＭカードに設定されたＰＩＮコードが一致するかを照合する手段と、ＰＩＮコードが一致した場合に前記メモリカードからメモリカード識別情報を読み出す手段と、読み出したメモリカード識別情報と前記記憶部に登録されたメモリカード識別情報が一致するかを照合する手段と、メモリカード識別情報が一致した場合に認証された旨を表示する手段とを有することを特徴とする携帯端末。
【請求項２】
前記ＳＩＭカードにＰＩＮコードが設定されていなかった場合はＰＩＮコードの照合を行わず、前記メモリカードのメモリカード識別情報の照合に移行することを特徴とする請求項１記載の携帯端末。
【請求項３】
前記ＳＩＭカードにＰＩＮコードが設定されていなかった場合は認証失敗とし、前記メモリカードのメモリカード識別情報の照合を行うことなく処理を終了することを特徴とする請求項１記載の携帯端末。
【請求項４】
ＳＩＭカードおよびメモリカードが装着される携帯端末であって、
前記メモリカード固有のメモリカード識別情報が登録された記憶部と、前記ＳＩＭカード装着時にＰＩＮコード照合要否情報を読み出す手段と、ＰＩＮコード照合要否情報が要と設定されていた場合に前記ＳＩＭカードにＰＩＮコードが設定されているかを確認する手段と、ＰＩＮコードが設定されていた場合にＰＩＮコードの入力を要求する手段と、ユーザから入力されたＰＩＮコードと前記ＳＩＭカードに設定されたＰＩＮコードが一致するかを照合する手段と、ＰＩＮコードが一致した場合に前記メモリカードからメモリカード識別情報を読み出す手段と、読み出したメモリカード識別情報と前記記憶部に登録されたメモリカード識別情報が一致するかを照合する手段と、メモリカード識別情報が一致した場合に認証された旨を表示する手段とを有することを特徴とする携帯端末。
【請求項５】
ＰＩＮコード照合要否情報が不要と設定されていた場合、または、前記ＳＩＭカードにＰＩＮコードが設定されていなかった場合はＰＩＮコードの照合を行わず、前記メモリカードのメモリカード識別情報の照合に移行することを特徴とする請求項４記載の携帯端末。
【請求項６】
ＳＩＭカードおよびメモリカードが装着される携帯端末を用いた携帯端末における認証方法であって、前記ＳＩＭカードのＰＩＮコードに基づく認証、および、前記メモリカードのメモリカード識別情報に基づく認証、を基に正規ユーザであるかの認証を行うことを特徴とする携帯端末における認証方法。
【請求項７】
ＳＩＭカードおよびメモリカードが装着される携帯端末を用いた携帯端末における認証方法であって、
前記メモリカード固有のメモリカード識別情報を記憶部に登録するステップと、前記ＳＩＭカード装着時にＰＩＮコードが設定されているかを確認するステップと、ＰＩＮコードが設定されていた場合にＰＩＮコードの入力を要求するステップと、ユーザから入力されたＰＩＮコードと前記ＳＩＭカードに設定されたＰＩＮコードが一致するかを照合するステップと、ＰＩＮコードが一致した場合に前記メモリカードからメモリカード識別情報を読み出すステップと、読み出したメモリカード識別情報と前記記憶部に登録されたメモリカード識別情報が一致するかを照合するステップと、メモリカード識別情報が一致した場合に認証された旨を表示するステップとを有することを特徴とする携帯端末における認証方法。
【請求項８】
ＳＩＭカードおよびメモリカードが装着される携帯端末を用いた携帯端末における認証方法であって、
前記メモリカード固有のメモリカード識別情報を記憶部に登録するステップと、前記ＳＩＭカード装着時にＰＩＮコード照合要否情報を読み出すステップと、ＰＩＮコード照合要否情報が要と設定されていた場合に前記ＳＩＭカードにＰＩＮコードが設定されているかを確認するステップと、ＰＩＮコードが設定されていた場合にＰＩＮコードの入力を要求するステップと、ユーザから入力されたＰＩＮコードと前記ＳＩＭカードに設定されたＰＩＮコードが一致するかを照合するステップと、ＰＩＮコードが一致した場合に前記メモリカードからメモリカード識別情報を読み出すステップと、読み出したメモリカード識別情報と前記記憶部に登録されたメモリカード識別情報が一致するかを照合するステップと、メモリカード識別情報が一致した場合に認証された旨を表示するステップとを有することを特徴とする携帯端末における認証方法。
【請求項９】
メモリカード固有のメモリカード識別情報を登録する機能、ＳＩＭカード装着時にＰＩＮコードが設定されているかを確認する機能、ＰＩＮコードが設定されていた場合にＰＩＮコードの入力を要求する機能、ユーザから入力されたＰＩＮコードと前記ＳＩＭカードに設定されたＰＩＮコードが一致するかを照合する機能、ＰＩＮコードが一致した場合に前記メモリカードからメモリカード識別情報を読み出す機能、読み出したメモリカード識別情報と登録されたメモリカード識別情報が一致するかを照合する機能、メモリカード識別情報が一致した場合に認証された旨を表示する機能、をコンピュータに実現させるためのプログラム。
【請求項１０】
メモリカード固有のメモリカード識別情報を登録する機能、ＳＩＭカードからＰＩＮコード照合要否情報を読み出す機能、ＰＩＮコード照合要否情報が要と設定されていた場合に前記ＳＩＭカードにＰＩＮコードが設定されているかを確認する機能、ＰＩＮコードが設定されていた場合にＰＩＮコードの入力を要求する機能、ユーザから入力されたＰＩＮコードと前記ＳＩＭカードに設定されたＰＩＮコードが一致するかを照合する機能、ＰＩＮコードが一致した場合に前記メモリカードからメモリカード識別情報を読み出す機能、読み出したメモリカード識別情報と前記記憶部に登録されたメモリカード識別情報が一致するかを照合する機能、メモリカード識別情報が一致した場合に認証された旨を表示する機能、をコンピュータに実現させるためのプログラム。
【発明の詳細な説明】
【技術分野】
【０００１】
本発明は、携帯端末における認証に関し、特にＳＩＭカードやメモリカードの着脱が可能な携帯端末における認証方法や、認証を実行する携帯端末，プログラムに関する。
【背景技術】
【０００２】
ＳＩＭ(Subscriber Identity Module)カードを備えた携帯端末における認証に関する関連技術は、例えば、特開２０００−３０８１４０号公報（特許文献１）に開示されている。この特許文献１においては、
・挿入されたＳＩＭカードから暗証番号データであるＰＩＮ(Personal Identity Number)を読み出し、
・ユーザから入力されたＰＩＮとＳＩＭカードから読み出されたＰＩＮとを比較し、
・両者のＰＩＮが一致した場合は、ＳＩＭカードからの読み出しを許可して通信可能状態に移行し、
・両者のＰＩＮが一致しなかった場合は不一致回数を加算し、不一致回数が所定回数以上になった場合にＳＩＭカードからの読み出しを拒否し、通信不可能状態とする、
ことが記載されている。
【０００３】
【特許文献１】特開２０００−３０８１４０号公報（段落「００９１」〜「００９９」、図２、図４）
【発明の開示】
【発明が解決しようとする課題】
【０００４】
上述した特許文献１においては、ＳＩＭカードのＰＩＮとユーザが入力したＰＩＮとの照合により認証を行っているため、ＳＩＭカードの紛失，盗難時における第三者による不正使用に対して一応の防止策はとられている。しかし、ＰＩＮの設定をしていなかった場合は、ＰＩＮによる認証は行われないためＳＩＭカードを第三者に悪用されてしまい、第三者の使用した通信料金が正規ユーザに課金されてしまうという問題が発生する。また、ＰＩＮの設定をしていても、設定されたＰＩＮが第三者に知られていたような場合にも同様の問題が発生する。
【０００５】
本発明の目的は、以上の課題を解決する携帯端末，携帯端末における認証方法およびプログラムを提供することにある。
【課題を解決するための手段】
【０００６】
本発明の第１の携帯端末は、ＳＩＭカードおよびメモリカードが装着される携帯端末であって、
前記メモリカード固有のメモリカード識別情報が登録された記憶部と、前記ＳＩＭカード装着時にＰＩＮコードが設定されているかを確認する手段と、ＰＩＮコードが設定されていた場合にＰＩＮコードの入力を要求する手段と、ユーザから入力されたＰＩＮコードと前記ＳＩＭカードに設定されたＰＩＮコードが一致するかを照合する手段と、ＰＩＮコードが一致した場合に前記メモリカードからメモリカード識別情報を読み出す手段と、読み出したメモリカード識別情報と前記記憶部に登録されたメモリカード識別情報が一致するかを照合する手段と、メモリカード識別情報が一致した場合に認証された旨を表示する手段とを有する。
【０００７】
本発明の第２の携帯端末は、本発明の第１の携帯端末において、前記ＳＩＭカードにＰＩＮコードが設定されていなかった場合はＰＩＮコードの照合を行わず、前記メモリカードのメモリカード識別情報の照合に移行することを特徴とする。
【０００８】
本発明の第３の携帯端末は、本発明の第１の携帯端末において、前記ＳＩＭカードにＰＩＮコードが設定されていなかった場合は認証失敗とし、前記メモリカードのメモリカード識別情報の照合を行うことなく処理を終了することを特徴とする。
【０００９】
本発明の第４の携帯端末は、ＳＩＭカードおよびメモリカードが装着される携帯端末であって、
前記メモリカード固有のメモリカード識別情報が登録された記憶部と、前記ＳＩＭカード装着時にＰＩＮコード照合要否情報を読み出す手段と、ＰＩＮコード照合要否情報が要と設定されていた場合に前記ＳＩＭカードにＰＩＮコードが設定されているかを確認する手段と、ＰＩＮコードが設定されていた場合にＰＩＮコードの入力を要求する手段と、ユーザから入力されたＰＩＮコードと前記ＳＩＭカードに設定されたＰＩＮコードが一致するかを照合する手段と、ＰＩＮコードが一致した場合に前記メモリカードからメモリカード識別情報を読み出す手段と、読み出したメモリカード識別情報と前記記憶部に登録されたメモリカード識別情報が一致するかを照合する手段と、メモリカード識別情報が一致した場合に認証された旨を表示する手段とを有する。
【００１０】
本発明の第５の携帯端末は、本発明の第４の携帯端末において、ＰＩＮコード照合要否情報が不要と設定されていた場合、または、前記ＳＩＭカードにＰＩＮコードが設定されていなかった場合はＰＩＮコードの照合を行わず、前記メモリカードのメモリカード識別情報の照合に移行することを特徴とする。
【００１１】
本発明の第１の携帯端末における認証方法は、ＳＩＭカードおよびメモリカードが装着される携帯端末を用いた携帯端末における認証方法であって、前記ＳＩＭカードのＰＩＮコードに基づく認証、および、前記メモリカードのメモリカード識別情報に基づく認証、を基に正規ユーザであるかの認証を行うことを特徴とする。
【００１２】
本発明の第２の携帯端末における認証方法は、ＳＩＭカードおよびメモリカードが装着される携帯端末を用いた携帯端末における認証方法であって、
前記メモリカード固有のメモリカード識別情報を記憶部に登録するステップと、前記ＳＩＭカード装着時にＰＩＮコードが設定されているかを確認するステップと、ＰＩＮコードが設定されていた場合にＰＩＮコードの入力を要求するステップと、ユーザから入力されたＰＩＮコードと前記ＳＩＭカードに設定されたＰＩＮコードが一致するかを照合するステップと、ＰＩＮコードが一致した場合に前記メモリカードからメモリカード識別情報を読み出すステップと、読み出したメモリカード識別情報と前記記憶部に登録されたメモリカード識別情報が一致するかを照合するステップと、メモリカード識別情報が一致した場合に認証された旨を表示するステップとを有する。
【００１３】
本発明の第３の携帯端末における認証方法は、ＳＩＭカードおよびメモリカードが装着される携帯端末を用いた携帯端末における認証方法であって、
前記メモリカード固有のメモリカード識別情報を記憶部に登録するステップと、前記ＳＩＭカード装着時にＰＩＮコード照合要否情報を読み出すステップと、ＰＩＮコード照合要否情報が要と設定されていた場合に前記ＳＩＭカードにＰＩＮコードが設定されているかを確認するステップと、ＰＩＮコードが設定されていた場合にＰＩＮコードの入力を要求するステップと、ユーザから入力されたＰＩＮコードと前記ＳＩＭカードに設定されたＰＩＮコードが一致するかを照合するステップと、ＰＩＮコードが一致した場合に前記メモリカードからメモリカード識別情報を読み出すステップと、読み出したメモリカード識別情報と前記記憶部に登録されたメモリカード識別情報が一致するかを照合するステップと、メモリカード識別情報が一致した場合に認証された旨を表示するステップとを有する。
【００１４】
本発明の第１のプログラムは、メモリカード固有のメモリカード識別情報を登録する機能、ＳＩＭカード装着時にＰＩＮコードが設定されているかを確認する機能、ＰＩＮコードが設定されていた場合にＰＩＮコードの入力を要求する機能、ユーザから入力されたＰＩＮコードと前記ＳＩＭカードに設定されたＰＩＮコードが一致するかを照合する機能、ＰＩＮコードが一致した場合に前記メモリカードからメモリカード識別情報を読み出す機能、読み出したメモリカード識別情報と登録されたメモリカード識別情報が一致するかを照合する機能、メモリカード識別情報が一致した場合に認証された旨を表示する機能、をコンピュータに実現させる。
【００１５】
本発明の第２のプログラムは、メモリカード固有のメモリカード識別情報を登録する機能、ＳＩＭカードからＰＩＮコード照合要否情報を読み出す機能、ＰＩＮコード照合要否情報が要と設定されていた場合に前記ＳＩＭカードにＰＩＮコードが設定されているかを確認する機能、ＰＩＮコードが設定されていた場合にＰＩＮコードの入力を要求する機能、ユーザから入力されたＰＩＮコードと前記ＳＩＭカードに設定されたＰＩＮコードが一致するかを照合する機能、ＰＩＮコードが一致した場合に前記メモリカードからメモリカード識別情報を読み出す機能、読み出したメモリカード識別情報と前記記憶部に登録されたメモリカード識別情報が一致するかを照合する機能、メモリカード識別情報が一致した場合に認証された旨を表示する機能、をコンピュータに実現させる。
【発明の効果】
【００１６】
本発明においては、ＳＩＭカードのＰＩＮコード、メモリカードのメモリカード識別情報の両方でユーザ認証を行っている。これにより、ＳＩＭカードのＰＩＮコードの設定をしていなかった場合やＰＩＮコードが第三者に知られていたような場合においても、セキュリティの高い認証を行うことができるという効果が得られる。
【発明を実施するための最良の形態】
【００１７】
本発明の実施例について図面を参照して詳細に説明する。
【００１８】
図１は、本発明の第１の実施例の構成を示す図であり、携帯端末１０と、ＳＩＭカード２０と、メモリカード３０とを備えている。
【００１９】
携帯端末１０は、携帯電話機，ＰＨＳ(Personal Handyphone System)，ＰＤＡ(Personal Digital Assistance)等の携帯情報端末である。この携帯端末１０は、アンテナ１１と
、無線部１２と、操作部１３と、表示部１４と、記憶部１５と、ＳＩＭカードコネクタ１６と、メモリカードコネクタ１７と、制御部１８とを備えている。無線部１２は、図示しない基地局との間でアンテナ１１を介して無線信号の送受信を行う通信装置である。操作部１３はテンキー，機能キー，ポインティングデバイス等の入力装置であり、表示部１４はＬＣＤ(Liquid Crystal Display)等の表示装置である。記憶部１５は読み出し，書き込み可能な記憶装置であり、この記憶部１５にはメモリカード識別情報が予め登録されている。なお、メモリカード識別情報とは、携帯端末１０に装着されるメモリカード３０を一意に識別するメモリカード３０固有の識別情報であり、例えば、ＰＳＮ(Product Serial Number)等でもよいし、他の識別番号でもよい。ＳＩＭカードコネクタ１６はＳＩＭカー
ド２０が装着されるコネクタであり、メモリカードコネクタ１７はメモリカード３０が装着されるコネクタである。
【００２０】
制御部１８は、ＣＰＵ(Central Processing Unit)等の制御装置であり、プログラムに
より動作を制御される。この制御部１８は、
・ＳＩＭカード２０やメモリカード３０が装着されているかを識別する機能と、
・入力されたＰＩＮコードとＳＩＭカード２０に設定されたＰＩＮコードとが一致するかを照合する機能と、
・メモリカード３０から読み出した識別情報と記憶部１５に予め登録されたメモリカード識別情報が一致するかを照合する機能と、
・ＰＩＮコード，メモリカード識別情報の両方が一致した場合に認証する機能と、
・ＳＩＭカード２０にＰＩＮコードが設定されていなかった場合は、メモリカード３０から読み出した識別情報と記憶部１５に予め登録されたメモリカード識別情報が一致した場合に認証する機能と、
を備えている。
【００２１】
ＳＩＭカード２０は、携帯端末１０に着脱可能な加入者識別モジュール(Subscriber Identity Module)であり、ＩＣカードにユーザーの電話番号や契約している携帯端末事業者の情報等が記録されている。このＳＩＭカード２０は携帯端末事業者により発行され、携帯端末１０に装着することによりユーザの識別に使用される。また、このＳＩＭカード２０にはＰＩＮコード（暗証番号）の設定領域が含まれており、ＰＩＮコードを設定すると、ＳＩＭカード２０を装着したり電源を入れる度にＰＩＮコードの入力が要求される。
【００２２】
メモリカード３０は、携帯端末１０に着脱可能な記憶媒体であり、静止画，動画や、電話帳，送受信メール等のデータが記憶されている。また、このメモリカード３０はメモリカード３０固有の識別情報（メモリカード識別情報）を格納している。
【００２３】
次に、本発明の第１の実施例の動作について図１および図２を参照して説明する。図２は、本発明の第１の実施例の動作を示すフローチャートである。
【００２４】
図２を参照すると、ユーザが操作部１３の電源ＯＮボタンを押すことにより、携帯端末１０は電源ＯＮ状態となる（ステップＡ１）。電源ＯＮ状態において、制御部１８はＳＩＭカード２０がＳＩＭカードコネクタ１６に接続されているかを検出する（ステップＡ２）。接続されていなかった場合は、制御部１８は認証失敗となった旨を表示部１４に表示し（ステップＡ２→ステップＡ１４）、通信不可状態であることを示す通信不可モードを記憶部１５に登録する。この後、ユーザから通信機能（通話，データ通信等）が起動されても、制御部１８は記憶部１５に通信不可モードが登録されていることから通信処理を実行しないため、通信不可状態となる（ステップＡ１５）。
【００２５】
ステップＡ２において、ＳＩＭカード２０が装着されていた場合は、制御部１８はＰＩＮコードがＳＩＭカード２０に設定されているかを確認する（ステップＡ３）。ＰＩＮコードが設定されていた場合は、制御部１８はＰＩＮコードを入力するよう表示部１４に表示することにより、ユーザにＰＩＮコードの入力を要求する（ステップＡ４）。ユーザが操作部１３からＰＩＮコードを入力すると（ステップＡ５）、制御部１８は入力されたＰＩＮコードとＳＩＭカード２０に設定されたＰＩＮコードとを照合し（ステップＡ６）、一致するかを判別する（ステップＡ７）。ＰＩＮコードが一致しなかった場合は、制御部１８はＰＩＮコード不一致による再入力要求を表示部１４に表示し（ステップＡ８）、ステップＡ５に進む。
【００２６】
ステップＡ７においてＰＩＮコードが一致した場合、または、ステップＡ３においてＰＩＮコードが設定されていなかった場合、制御部１８はメモリカード３０がメモリカードコネクタ１７に接続されているかを検出する（ステップＡ９）。ステップＡ９において、メモリカード３０が装着されていた場合は、制御部１８はメモリカード３０からメモリカード識別情報を読み出し、記憶部１５に登録されたメモリカード識別情報と照合し（ステップＡ１０）、一致するかを判別する（ステップＡ１１）。ステップＡ１１において、メモリカード識別情報が一致した場合は、制御部１８は認証された旨を表示部１４に表示し（ステップＡ１１→ステップＡ１２）、通信可能状態であることを示す通信可能モードを記憶部１５に登録する。この後、ユーザから通信機能（通話，データ通信等）が起動されると、制御部１８は記憶部１５に通信可能モードが登録されていることから通信処理を実行し、通信可能状態となる（ステップＡ１３）。
【００２７】
ステップＡ９においてメモリカード３０が装着されていなかった場合、または、ステップＡ１１においてメモリカード識別情報が一致しなかった場合は、制御部１８は認証失敗となった旨を表示部１４に表示する（ステップＡ９，Ａ１１→ステップＡ１４）。そして、制御部１８は通信不可状態であることを示す通信不可モードを記憶部１５に登録する。この後、ユーザから通信機能（通話，データ通信等）が起動されても、制御部１８は記憶部１５に通信不可モードが登録されていることから通信処理を実行しないため、通信不可状態となる（ステップＡ１５）。 
以上説明したように、本実施例においては、ＳＩＭカード２０のＰＩＮコード、メモリカード３０のメモリカード識別情報の両方でユーザ認証を行っている。そして、認証された場合は、正規ユーザが使用しているという認識の基で規制なしに携帯端末１０を使用させ、認証失敗の場合は、通信機能（課金される機能）の使用を禁止している。これにより、ＰＩＮコードの設定をしていなかった場合やＰＩＮコードが第三者に知られていたような場合においても、ＳＩＭカード２０の不正使用により第三者の使用した通信料金が正規ユーザに課金されてしまうという事態を防止できるという効果が得られる。
【００２８】
次に、本発明の第２の実施例について説明する。
【００２９】
本実施例の構成は第１の実施例（図１）と同じである。本実施例が第１の実施例と異なる点は、図３（本発明の第２の実施例の動作を示すフローチャート）において、ステップＢ３でＮＯの場合の処理である。なお、図３のステップＢ１〜ステップＢ１５は図２（第１の実施例の動作）のステップＡ１〜ステップＡ１５と同じであるため、ここではステップＢ３のＮＯの場合の動作に限定して説明する。
【００３０】
第１の実施例においては、図２のステップＡ３でＮＯの場合、すなわち、ＳＩＭカード２０にＰＩＮコードが設定されていなかった場合はステップＡ９に進み、メモリカード３０のメモリカード識別情報の照合により認証するようにしている。これに対し、本実施例においては、図３のステップＢ３でＮＯの場合、すなわち、ＳＩＭカード２０にＰＩＮコードが設定されていなかった場合は、認証失敗として扱い、認証失敗を表示するステップＢ１４に進むようにした点が異なっている。
【００３１】
次に、本発明の第３の実施例について説明する。
【００３２】
本実施例の構成は第１の実施例（図１）と同じである。本実施例が第１の実施例と異なる点は、図４（本発明の第３の実施例の動作を示すフローチャート）において、ステップＣ３の処理を追加した点である。なお、ステップＣ３以外の動作（ステップＣ１〜ステップＣ２、ステップＣ４〜ステップＣ１６）については、図２（第１の実施例の動作）のステップＡ１〜ステップＡ２、ステップＡ３〜ステップＡ１５と同じであるため、説明を省略する。
【００３３】
図４を参照すると、ステップＣ２においてＳＩＭカード２０が装着されていた場合は、制御部１８はＰＩＮコード照合要否情報が「要」になっているかを確認する。このＰＩＮコード照合要否情報は、ＰＩＮコードとは別にユーザがＳＩＭカード２０に設定する情報である。設定内容としては、ＰＩＮコードによる認証を行う場合は「要」、ＰＩＮコードによる認証を不要とする場合は「不要」情報を、予め携帯端末１０の設定メニューを用いて設定しておくものとする（ステップＣ３）。ステップＣ３において、ＰＩＮコード照合要否情報が「要」と設定されていた場合は、制御部１８はＳＩＭカード２０にＰＩＮコードが設定されているかを確認する（ステップＣ３→ステップＣ４）。また、ステップＣ３において、ＰＩＮコード照合要否情報が「不要」と設定されていた場合は、制御部１８はメモリカード３０がメモリカードコネクタ１７に接続されているかを確認する（ステップＣ３→ステップＣ１０）。
【００３４】
以上説明したように、本実施例においては、ＰＩＮコード照合要否情報を備えたＳＩＭカード２０において、ＰＩＮコード照合の「要」，「不要」をユーザが設定するようにしている。そして、「要」の場合はＰＩＮコードによる認証を行い、「不要」の場合はＰＩＮコードによる認証を省略してメモリカード３０のメモリカード識別情報による認証に移行するようにしている。これにより、ＰＩＮコードの設定の有無に関わらず、ユーザ認証をＳＩＭカード２０，メモリカード３０の両方で行うか、メモリカード３０だけで行うかをユーザが選択できるという効果が得られる。
【図面の簡単な説明】
【００３５】
【図１】本発明の第１の実施例の構成を示す図である。
【図２】本発明の第１の実施例の動作を示すフローチャートである。
【図３】本発明の第２の実施例の動作を示すフローチャートである。
【図４】本発明の第３の実施例の動作を示すフローチャートである。
【符号の説明】
【００３６】
１０    携帯端末
１１    アンテナ
１２    無線部
１３    操作部
１４    表示部
１５    記憶部
１６    ＳＩＭカードコネクタ
１７    メモリカードコネクタ
１８    制御部
２０    ＳＩＭカード
３０    メモリカード
【図１】
2008293251.tif 000003
【図２】
2008293251.tif 000004
【図３】
2008293251.tif 000005
【図４】
2008293251.tif 000006